(57)【特許請求の範囲】
【請求項１】
（ｉ）皮革再生材料の混合物または（ｉｉ）天然皮革により構成されるシート状もしくはロール状の支持材からなる複合材料であって、上記支持材がサーリンの商品名で知られているエチレン共重合体のフィルムからなるエンボス加工された被覆表面層と直接に結合されていることを特徴とする複合材料。
【請求項２】
上記支持材が、エンボス加工の前に皮革様の香りがするようにされていることを特徴とする、請求項１記載の複合材料。
【請求項３】
該複合材料が一連の穿孔もしくは微小穿孔を有することを特徴とする請求項１または請求項２記載の複合材料。
【請求項４】
履物のコルク靴底、ヒール、バンプ、つま先、スーツケースの部品、眼鏡ケース、ブリーフケース、椅子もしくはソファーの部品もしくは構造物、または家具もしくは調度部品を製造するために使用される、複合材料であって；該複合材料は、（ｉ）皮革再生材料の混合物または（ｉｉ）天然皮革により構成されるシート状もしくはロール状の支持材、およびサーリンの商品名で知られているエチレン共重合体のフィルムからなるエンボス加工された被覆表面層を含んで成る複合材料。
【発明の詳細な説明】
技術分野
本発明は履物の製造、特にコルク靴底および／またはバンプ（vamp）および／または靴のつま先の製造に使用するのに特に適しておりさらに眼鏡ケースなど、鏡板材、スーツケースまたは革製品または椅子やソファーの構成要素などの他の応用にも特に適する複合物質に関する。
本発明は履物産業の分野でまたは天然レザーまたは皮革の製造に、および家具部品の製造に主として利用される。
背景技術
履物のコルク靴底はシートまたはロール状の支持物質から通常得られる。この支持物質は一般にセルロース系物質または再生レザーで構成される。
上記物質はコルク靴底の土台を表しており、適当な産業プラント内で適当な染料と樹脂の混合物が上記物質の一方の側の上にスプレーまたは塗布される。
その後に、必要があれば、支持シートの処理された表面が模様などの浮き出し処理を受け、最後に上記表面が塗料層、通常ニトロ塗料で処理される。
上記製造法およびその方法で得られる物質は重大な不都合および欠点を持っている。中でも、処理された層の表面の抵抗性が低いこと、および製造コストが比較的高いことが主として指摘される。
文献、ＧＢ−Ａ−１，５１４，２２４号はレザーを真似る多重層複合体であって、真正レザーが一般に用いられるすべての分野、例えば室内装飾用品、衣服、ハンドバッグ、旅行かばんおよび履物などに使用されるものを記載する。
上記多重層複合体は、ａ）支持物質として働く織物、ｂ）押しつぶされた泡、ｃ）表面仕上げ用フィルム、の三つの必須の成分から構成さる。
文献、ＤＥ−Ａ−３，２２０，７６８号は、ＴＮＴ基質をＰＶＣまたはＰＵまたはＰＥ層に結合させるプロセスを記載する。この場合、上記ＴＮＴ基質はポリエステル樹脂で完全に覆われる。
文献、ＤＥ−Ａ−１，６５４，４５１号は、ポリウレタンフォームを合成層、例えばＰＶＣ、ＰＥ、ＰＰ、ＰＡ、ポリエステルに結合させることにより得られる人工または模倣レザーの製造のためのプロセスを記載する。
文献、ＧＢ−Ａ−１，５３６，４２１号は、熱可塑性物質からなる第１の外層、第１の外層のための第１の裏張り層であって紙または薄いボール紙または織布および不織布で構成されるもの、高分子物質から作られる第２の外層および、例えばボール紙、または編んだまたは編んでいない織物用材料である第２の外層の裏張り層、を含んで成る柔軟なラミネート（薄層状物質）を記載する。
文献、ＦＲ−Ａ−２，３８８，６５９号は合成樹脂ないしＰＥフォームから作られる被覆の利用について記載する。
本発明の説明
本発明は上記の問題に対する単純なそして経済的な解決を提供すること、そしてこうして高い表面抵抗性を有し、従って履物のコルク靴底またはつま先、そしてスーツケース、ブリーフケース、眼鏡ケース、椅子の部品または構造物等の一部などの多くの利用に特に適し、さらに皮革材料のストック（原料）をリサイクルしそして再生するにも特に適しており、しかも無毒であり、従って、長期間皮膚と接触する場合にも使用可能である複合物質を提供することを目的とする。
これは主クレームに開示した特徴により得られる。
従属クレームは本発明の複合物質の態様の特に有利な形を概述する。
さらに、クレーム４は上記複合物質の使用を開示する。
本発明によれば、この複合物質はシート状またはロール状で入手可能な適当な支持物質から構成される。この支持物質にはポリエチレンまたはサーリン（Surlyn）▲Ｒ▼の被覆層が適用される。この被覆層は薄いフィルムで構成されていることが有利である。
上記支持物質は下記のものを含む群から選択される一つの物質から構成される、すなわち、
−  シートまたはロール状のセルロース系物質（例えば、ボンテックス▲Ｒ▼（Bontex▲Ｒ▼）またはテクソン▲Ｒ▼（Texon▲Ｒ▼））、
−  皮革再生物質またはその誘導体の混合物（例えば、サルパ（Salpa）、
−  天然レザー、原料からさえも可、
−  コルクまたは木材、
−  凝集した物質、
−  フェルト、
−  ゴレテックス▲Ｒ▼（Goretex▲Ｒ▼）またはシンパテックス▲Ｒ▼（Simpatex▲Ｒ▼）などの発汗タイプの物質、である。
この支持物質と被覆層との結合は低温作業で、例えば、支持物質とポリエチレンまたはサーリン▲Ｒ▼から作られたフィルムとの間に適当な両面接着フィルムを置くことにより、またはスプレーされまたは塗布された接着剤を用いることにより行うことができる。別法として、フィルムの結合は高温作業で行うことができる。
さらに、ポリエチレンまたはサーリン▲Ｒ▼の被覆層と支持物質との結合により得られる複合物質はこの結合処理の間に模様などの浮き出しがなされる。
本発明による模様浮き出し処理をされた複合物質は無毒であり、途方もない機械的性質を示す、例えば、すり傷やひっかき傷に対し極めて高い表面抵抗性を示す。
さらに、態様の１形式によれば、ウール層またはネットが被覆層を覆って置かれる。
そのうえに、染料層（物理的または昇華的）を支持物質と透明なポリエチレンまたはサーリン▲Ｒ▼被覆層の間に置くことができる。
結合処理の後に、得られる複合物質は直ちに切断され、所望の形、例えばコルク靴底または他の履物の部品（ヒールまたは靴先）、または壁紙シート、スーツケース部品、家具類などの形とされる。
これに関しては、本発明の複合物質はそれを無毒にするポリエチレン表面層を含むこと、そして例えば、ポリビニルクロリド、ＰＶＣから作られる表面層を有する既知の複合物質では処理を行うことができないヒトの皮膚と接触するどのような適用にも自由に使用することができることに注目することは有用である。
上記のように、本発明の複合物質は極めて高い表面抵抗性を有し、多くの適用において、中でも履物の分野において使用することができる。
実際、テストによりこの物質が既知のコルク靴底の代表的なものよりも高い機械的抵抗性を示し、染料表面層を有するコルク靴底の製造に特に適していることが証明された。他の興味深い適用はヒールまたはつま先またはバンプ（つま革）の製造に関するものである。
これに関しては、支持物質がレザーの場合、ポリエチレン表面層を適用することは支持物質表面に安定性を与え、それにより表面のひび割れ（ashlars）やくぼみなどの形成を防止することに注目することが妥当である。
本発明の態様のさらなる１形式によれば、この支持物質には模様浮き出し処理の前にレザー様の香りをスプレーすることができる。この場合、得られる物質を真正のレザーと識別することはもはや不可能である。
スーツケースおよび／またはブリーフケースおよび／または眼鏡ケースなどの製造、および他の天然レザー製品の製造における他の適用でも本発明の物質の絶対的信頼性が証明された。
さらに、本発明の物質は椅子やソファーの部品または構造物の製造に有利に適用することができる。
本発明の物質の態様の特殊な形式によれば、この物質それ自体に一連の穿孔または微小穿孔が付与される。それは予め定められた形に従って最終切断される前かまたは模様浮きだし処理と同時にシートまたはロールに対して通常行われる。
この場合、この複合物質は一方向に透けて見える物質からなる膜をコルク靴底と履物の底の間に配置することができ、これにより足を常に乾燥した状態に保たせるから、これはコルク靴底として用いると特に有効であることが示された。
さらに、穿孔を付されたフィルムは高温作業により不浸透性の発汗タイプの物質、例えば、ゴレテックス▲Ｒ▼（Goretex▲Ｒ▼）またはシンパテックス▲Ｒ▼（Simpatex▲Ｒ▼）と結合させることができる。
このタイプの結合は、既知の方法によれば普通に起こるような、発汗タイプの物質がその担体にシミ様に結合するのを回避させるから、特に有利である。